(57)【要約】【課題】主に、建物の構築後であっても、容易且つ確実にバスユニット設置用金具を取付けてバスユニットを設置することができるようにする。【解決手段】建物１の床面４よりも低い位置にバスユニット底部支持部材５を設置するためのバスユニット設置用金具３に関する。  このバスユニット設置用金具３は、建物１の床下地材１４の側面に対して取付可能な側面取付部２１と、この側面取付部２１から下方へ延びる下方延設部２２と、この下方延設部２２の下端側に設けられて、上記バスユニット底部支持部材５の端部を下方から係止保持可能な支持部材係止保持部２３と、を有する金具本体２４を備えている。  そして、上記下方延設部２２が、建物１の土台８または基礎７を迂回可能な迂回部２５を有している。【選択図】図３
2015055129.tif 000002
【特許請求の範囲】
【請求項１】
建物の床面よりも低い位置にバスユニット底部支持部材を設置するためのバスユニット設置用金具において、
建物の床下地材の側面に対して取付可能な側面取付部と、
該側面取付部から下方へ延びる下方延設部と、
該下方延設部の下端側に設けられて、前記バスユニット底部支持部材の端部を下方から係止保持可能な支持部材係止保持部と、を有する金具本体を備え、
前記下方延設部が、建物の土台または基礎を迂回可能な迂回部を有することを特徴とするバスユニット設置用金具。
【請求項２】
前記迂回部が、建物の土台または基礎の上面によって支持される被支持部を有することを特徴とする請求項１に記載のバスユニット設置用金具。
【請求項３】
前記側面取付部が、床下地材の側面に当接可能な上端側縦面部を有し、
前記下方延設部の迂回部が、中間横面部および中間縦面部からなる屈曲形状を有し、
前記支持部材係止保持部が、バスユニット底部支持部材の端部下面が当接係止可能な下端側横面部を有することにより、前記金具本体が、側面視Ｗ字状のものとされ、
該側面視Ｗ字状の金具本体が、少なくとも一側部に、前記金具本体を構成する各面部から面外方向に立上がる補強用の立設部を有することを特徴とする請求項１または請求項２に記載のバスユニット設置用金具。
【請求項４】
建物の平行な一対の床下地材の内側面に対して、前記請求項１ないし請求項３のいずれか１項に記載のバスユニット設置用金具が、互いに向かい合った状態で取付けられ、
前記バスユニット底部支持部材が、建物の平行な一対の床下地材の間に架設されるバスユニット設置用床梁材とされて、
該バスユニット設置用床梁材の両端部が、一対の床下地材の内側面に互いに向かい合わせて取付けられたバスユニット設置用金具の支持部材係止保持部間に、それぞれ係止保持されると共に、
該バスユニット設置用床梁材の上面側にバスユニット設置用床面材が敷設されたことを特徴とするバスユニット設置用床構造。
【請求項５】
前記バスユニット設置用床梁材が、中空の角型鋼材によって構成されると共に、
該角型鋼材の端部上面に、角型鋼材の端部下面と前記支持部材係止保持部との間を締結固定するための作業スペースを確保形成可能な切欠部が設けられたことを特徴とする請求項４に記載のバスユニット設置用床構造。
【請求項６】
前記バスユニット設置用床梁材が、複数本平行に設けられると共に、
複数本のバスユニット設置用床梁材の間が、横桟部材によって一体に連結されたことを特徴とする請求項４または請求項５に記載のバスユニット設置用床構造。
【請求項７】
前記バスユニット設置用床面材の下面側に断熱材が設置されたことを特徴とする請求項４ないし請求項６のいずれか１項に記載のバスユニット設置用床構造。
【請求項８】
請求項４ないし請求項７のいずれか１項に記載のバスユニット設置用床構造を備えたことを特徴とする建物。
【発明の詳細な説明】
【技術分野】
【０００１】
この発明は、建物に対してバスユニットを設置するために用いるバスユニット設置用金具、および、このバスユニット設置用金具を用いたバスユニット設置用床構造、並びに、このバスユニット設置用床構造を備えた建物に関するものである。
【背景技術】
【０００２】
住宅などの建物では、浴室設備をバスユニットによって構成するのが一般的である。
【０００３】
そして、このようなバスユニットは、例えば、バスユニット設置用金具などを用いて建物に設置されている。このようなバスユニット設置用金具には、例えば、特許文献１、２に記載されたようなものがある。
【０００４】
例えば、特許文献１のバスユニット設置用金具は、側面視ほぼＺ字状をした吊金具とされている。そして、このＺ字状の吊金具は、その上端側横面部を木質系の建物の大引の上面に対し上下方向に係止させた状態にして、上端側横面部と大引の上面との間を上下方向にボルト止めすることによって、建物に取付けるようにしている。
【０００５】
また、特許文献２のバスユニット設置用金具は、水平な支持バーの両端部に上方へ延びる引掛片を形成したものとされている。そして、この支持バーは、引掛片を木質系の建物の土台または梁の上面に対し上下方向に係止させた状態にして、引掛片と土台または梁の上面との間を釘やネジで上下方向に固定することによって、建物に取付けるようにしている。
【０００６】
なお、特許文献３には、鉄骨系ユニット住宅専用のバスユニット設置用金具が開示されている。
【先行技術文献】
【特許文献】
【０００７】
【特許文献１】特開２００６−１１２５１０号公報
【特許文献２】特開２０１０−１９６３３３号公報
【特許文献３】特開２０１０−１５９６０２号公報
【発明の概要】
【発明が解決しようとする課題】
【０００８】
しかしながら、上記各特許文献１のバスユニット設置用金具では、吊金具の上端側横面部を、木質系の建物の大引の上面に対して、上下方向に取付けるようにしており、また、上記各特許文献２のバスユニット設置用金具では、支持バーの両端部の引掛片を、木質系の建物の土台または梁の上面に対して、上下方向に取付けるようにしているが、建物の大引や土台または梁の上側には、壁などの構造物が存在しているため、壁などを取壊したりしなければ、バスユニット設置用金具の取付位置を確保したり、バスユニット設置用金具の取付作業を行ったりするのが困難となっていた。
【０００９】
よって、建物の新築時以外に、上記したバスユニット設置用金具を用いてバスユニットを設置することは、実質的に困難となっていた。
【００１０】
なお、特許文献３のバスユニット設置用金具は、鉄骨系ユニット住宅専用のものとなっているため、取付けられる建物には制限があり、汎用化するのに適していない。
【００１１】
本発明は、上記した問題点を解決し、建物の構築後であっても、容易且つ確実にバスユニット設置用金具を取付けてバスユニットを設置することができるようにすることを、主な目的としている。
【課題を解決するための手段】
【００１２】
上記課題を解決するために、本発明は、
建物の床面よりも低い位置にバスユニット底部支持部材を設置するためのバスユニット設置用金具において、
建物の床下地材の側面に対して取付可能な側面取付部と、
該側面取付部から下方へ延びる下方延設部と、
該下方延設部の下端側に設けられて、前記バスユニット底部支持部材の端部を下方から係止保持可能な支持部材係止保持部と、を有する金具本体を備え、
前記下方延設部が、建物の土台または基礎を迂回可能な迂回部を有することを特徴とする。
【発明の効果】
【００１３】
本発明によれば、上記構成によって、以下のような作用効果を得ることができる。
【００１４】
即ち、バスユニット設置用金具に、建物の床下地材の側面に対して取付可能な側面取付部を設けた。これにより、建物の新築時は勿論、構築途中での設計変更やリフォームなどを行う場合であっても、バスユニット設置用金具を用いて、確実にバスユニットを設置することが可能となる。
【００１５】
そして、バスユニット設置用金具を、下方延設部を有するものとした。これにより、建物の床面とバスユニット底部支持部材との間の高低差を大きく確保することができる。
【００１６】
更に、バスユニット設置用金具の下方延設部に、建物の土台または基礎を迂回可能な迂回部を設けた。これにより、下方延設部が、建物の土台または基礎と干渉してバスユニット設置用金具が取付けられなくなるような不具合を防止することができる。よって、現場ごとに土台または基礎の状況が異なっていても、バスユニット設置用金具を各種の建物に幅広く適用させることが可能となる。また、迂回部の形状は補強構造にもなっているので、その分、バスユニット設置用金具の剛性を高めることができる。
【図面の簡単な説明】
【００１７】
【図１】本発明の実施例にかかるバスユニット設置用床構造を備えた建物（例えば、木質系ユニット建物）の側面図である。
【図２】（例えば、木質系ユニット建物における、下階の木質系ユニットに対して）バスユニット設置用金具およびバスユニット底部支持部材を取付けた状態の斜視図である。
【図３】（ａ）は図２の側面図、（ｂ）は（ａ）の部分拡大図である。
【図４】図２の平面図である。
【図５】バスユニット設置用金具の斜視図である。
【図６】図５のバスユニット設置用金具の詳細を示す図であり、（ａ）は側面図、（ｂ）は正面図、（ｃ）は平面図である。
【図７】バスユニット底部支持部材の詳細を示す図であり、（ａ）は平面図、（ｂ）は端面図、（ｃ）は側面図である。
【図８】複数本のバスユニット底部支持部材を横桟部材で連結した連結型床梁材の詳細を示す図であり、（ａ）は平面図、（ｂ）は端面図、（ｃ）は側面図である。
【図９】図７、図８のバスユニット底部支持部材の端部を拡大した図であり、（ａ）は斜視図、（ｂ）は平面図である。
【発明を実施するための形態】
【００１８】
以下、本実施の形態、および、それを具体化した実施例を、図面を用いて詳細に説明する。
【００１９】
図１〜図９は、この実施の形態の実施例およびその変形例を説明するためのものである。
【実施例１】
【００２０】
＜構成＞以下、構成について説明する。
【００２１】
図１（〜図４）に示すように、住宅などの建物１に対し、浴室設備としてバスユニット２を取付ける。このバスユニット２は、バスユニット設置用金具３などを用いて建物１（の内部）に設置される。このバスユニット設置用金具３は、建物１の床面４よりも低い位置にバスユニット底部支持部材５を設置するためのものとされる。
【００２２】
（補足説明）
ここで、上記についての補足説明を行う。なお、補足説明については、必要に応じて参照すれば良い。
【００２３】
上記した「建物１」には、木質系のもの（木造住宅）や、鉄骨系のもの（鉄骨系住宅）や、コンクリート系のもの（コンクリート住宅）など、各種のものが存在しているが、この場合には、木質系の住宅を想定している。そして、木質系の住宅には、在来工法によるもの（木造軸組住宅）や、ツーバイフォー工法によるもの（ツーバイフォー住宅）や、木質系ユニット工法によるもの（木質系ユニット住宅）などが存在しているが、これらのいずれであっても良い。この場合には、主に、木質系ユニット工法によるものを想定している。
【００２４】
木質系ユニット工法による住宅は、地盤６に打設形成した基礎７の上部に、土台８（図２参照）を設置し、この土台８の上部に、工場で予め組立てられたほぼ立方体状の木質系ユニット９を、水平方向（同一階方向）や上下方向（上下階方向）に所要数だけ載置し、これらの木質系ユニット９間を互いに連結することによって一体化したものである。
【００２５】
上記立方体状をした各木質系ユニット９は、基本的に、床パネル１１と、天井パネル１２と、壁パネル１３とによって構成される。そして、これらの各パネルは、それぞれ下地材と面材とによって構成される。例えば、床パネル１１は、図２、図３などに示すように、床下地材１４（床根太）と床面材１５とによって構成される。上記床下地材１４には、床パネル１１の外周枠部を形成するもの（端根太）や、外周枠部の内側に架設されるものなどがある。
【００２６】
上記した「バスユニット２」は、ユニット化された浴室設備であり、設備メーカーにより製造されて、住宅メーカーなどへ販売されるものである。バスユニット２は、その内部に洗い場部分と浴槽部分とを有している。
【００２７】
上記した「バスユニット設置用金具３」は、建物１の内部にバスユニット２を設置するために用いられる金具（取付具）のことである。この場合には、バスユニット設置用金具３は、バスユニット２を直接取付けるためのものではなく、上記したバスユニット底部支持部材５を取付けるためのものとされている。バスユニット設置用金具３の詳細については、後述する。
【００２８】
上記した「床面４」は、建物１の床部の上面のことである。例えば、木質系ユニット住宅の場合には、下階の木質系ユニット９の床パネル１１（床部）を構成する床面材１５の上面である。
【００２９】
上記した「バスユニット底部支持部材５」は、バスユニット２の底部を支持するための部材のことである。バスユニット底部支持部材５の詳細については、後述する。
【００３０】
そして、以上のような基本的な構成に対し、この実施例のものでは、以下のような構成を備えるようにしている。
【００３１】
（構成１）バスユニット設置用金具３について
バスユニット設置用金具３を、以下のようなものとする。
【００３２】
即ち、図５（図６）に示すように、バスユニット設置用金具３は、建物１の床下地材１４の側面に対して取付可能な側面取付部２１と、
この側面取付部２１から下方へ延びる下方延設部２２と、
この下方延設部２２の下端側に設けられて、上記バスユニット底部支持部材５の端部を下方から係止保持可能な支持部材係止保持部２３と、を有する金具本体２４を備えるようにする。
【００３３】
そして、上記下方延設部２２が、建物１の土台８または基礎７を迂回可能な迂回部２５を有するものとされる。
【００３４】
（補足説明１）
ここで、上記した「床下地材１４」は、図２、図３に示すように、建物１の床部（例えば、上記した床パネル１１）における、下地となる材料（木材）のことである。在来工法の場合、床下地材１４には、大引や床根太などが含まれる。土台８も床下地材１４に含まれる。ツーバイフォー工法の場合、床下地材１４には、端根太や床根太などが含まれる。木質系ユニット工法の場合、上記したように、床パネル１１を構成する床枠材（端根太や床根太）などが含まれる。
【００３５】
上記した「床下地材１４の側面」は、床下地材１４の上下面、および、（長手方向の）両端面以外の面のことである。
【００３６】
上記した「側面取付部２１」は、バスユニット設置用金具３における、床下地材１４の側面に対して取付けられるようにした部分のことである。
【００３７】
上記した「下方延設部２２」は、側面取付部２１から下方へ向けて延設された部分のことである。下方延設部２２の下方への延長量は、バスユニット２の洗い場の床面４を、建物１の床部と同じ高さにするために必要な量などとされる。この場合には、後述する支持部材係止保持部２３の上面が、基礎７の上面と同じ高さか、または、それよりも低くなるような（下方）延長量にしている。具体的に、（下方）延長量は、例えば１０５ｍｍ程度のものなどとされている。但し、（下方）延長量の具体的な数値は、上記に限るものでない。
【００３８】
上記した「支持部材係止保持部２３」は、バスユニット底部支持部材５の端部の下面を下方から係止保持するようにした部分のことである。
【００３９】
上記した「金具本体２４」は、バスユニット設置用金具３の本体を構成する部分（即ち、バスユニット設置用金具３の主要部）のことである。
【００４０】
上記した「基礎７」は、図１に示すように、地盤６に打設形成されて、建物１を下側から支持するようにした（鉄筋）コンクリート製の支持構造物のことである。
【００４１】
上記した「土台８」は、基礎７と建物１との間に介在される木製の支持部材のことである。
【００４２】
上記した「迂回部２５」は、床下地材１４の側面の位置から、建物１の土台８または基礎７を避けるように回り込みながら下方へ延びる形状の部分のことである。迂回部２５は、土台８または基礎７の側面から十分に離間されるように、比較的大きく迂回されるようなものとする。例えば、迂回部２５の迂回量は、土台８または基礎７の半幅程度以上のものなどとされる。この場合、例えば、迂回部２５の迂回量は、８５ｍｍ程度とされている。但し、迂回部２５の迂回量は、上記に限るものではない。
【００４３】
なお、一見、同じようではあるが、バスユニット設置用金具３を土台８または基礎７の側面に沿って下方へ導かせるような屈曲形状としたようなものなどは、基礎７の側面からほとんど離間されていないため、特定形状の土台８または基礎７にしか対応できない専用のものとなってしまうので、上記した迂回部２５には含まれない。
【００４４】
（構成２）
図３（ｂ）に示すように、上記迂回部２５が、建物１の土台８または基礎７の上面によって支持される被支持部２６を有するものとされる。
【００４５】
（補足説明２）
ここで、上記した「被支持部２６」は、建物１の土台８または基礎７の上面に直接的に当接されて支持される部位のことである。被支持部２６は、迂回部２５の一部に形成される。または、被支持部２６は、迂回部２５に対して部分的に形成される。
【００４６】
（構成３）
図５（図６）に示すように、上記側面取付部２１が、床下地材１４の側面に当接可能な上端側縦面部２１ａを有し、
上記下方延設部２２の迂回部２５が、中間横面部２５ａおよび中間縦面部２５ｂからなる屈曲形状を有し、
上記支持部材係止保持部２３が、バスユニット底部支持部材５の端部下面が当接係止可能な下端側横面部２３ａを有することにより、上記金具本体２４が、側面視Ｗ字状のものとされる。
【００４７】
この側面視Ｗ字状の金具本体２４が、少なくとも一側部に、上記金具本体２４を構成する各面部から面外方向に立上がる補強用の立設部２７を有するものとされる。
【００４８】
（補足説明３）
ここで、上記した「上端側縦面部２１ａ」は、バスユニット設置用金具３の上端側に設けられた、ほぼ上下方向へ延びる面状の部分（取付面部）のことである。この上端側縦面部２１ａには、床下地材１４の側面に釘やネジやその他の固定具で固定するための釘穴やネジ穴やその他の穴部などの固定点２１ｂが多数形成されている。
【００４９】
上記した「中間横面部２５ａ」は、バスユニット設置用金具３の中間部に設けられた、ほぼ水平方向へ延びる面状の部分（張出面部）のことである。上記した迂回部２５の横方向への迂回量は、この中間横面部２５ａの水平方向の長さ（張出量）によって設定される。また、上記した被支持部２６は、この中間横面部２５ａにおける、上端側縦面部２１ａ寄りの部分に設定される。
【００５０】
上記した「中間縦面部２５ｂ」は、バスユニット設置用金具３の中間部に設けられた、ほぼ上下方向へ延びる面状の部分（垂下面部）のことである。上記した下方延設部２２の下方への延長量は、この中間縦面部２５ｂの上下方向の長さによって設定される。
【００５１】
上記した「屈曲形状」は、中間横面部２５ａと中間縦面部２５ｂとによって形成される屈曲した形状のことである。
【００５２】
上記した「下端側横面部２３ａ」は、バスユニット設置用金具３の下端側に設けられた、ほぼ水平方向へ延びる面状の部分（係止取付面部）のことである。この下端側横面部２３ａの中央部（または中心部）などには、ボルトやナットなどの締結具２９を挿通するためのボルト穴などの固定点２３ｂが形成されている。
【００５３】
上記した「各面部」は、上記した上端側縦面部２１ａ、中間横面部２５ａ、中間縦面部２５ｂ、下端側横面部２３ａのことである。これらの各面部は、一体に連続されると共に、隣接する面部に対してほぼ９０°の角度を有して屈曲されている。
【００５４】
上記した「面外方向」は、各面部（上端側縦面部２１ａ、中間横面部２５ａ、中間縦面部２５ｂ、下端側横面部２３ａ）とほぼ面直な方向のことである。この場合には、床下地材１４の側面とほぼ垂直な方向で、床下地材１４の側面から離れる方向である。
【００５５】
上記した「立設部２７」は、各面部（上端側縦面部２１ａ、中間横面部２５ａ、中間縦面部２５ｂ、下端側横面部２３ａ）に対してほぼ面直に立設された面部のことである。この場合、立設部２７は、金具本体２４の両側部に対して形成されている。
【００５６】
（構成４）バスユニット２設置用の床構造について
図１（〜図４）に示すように、上記したバスユニット設置用金具３を用いて、建物１の床面４よりも低い位置にバスユニット底部支持部材５を設置する。そのために、建物１の床部（例えば、床パネル１１）には、バスユニット２設置用の開口部３１が形成される。そして、バスユニット２設置用の開口部３１の内部における、建物１の床部よりも低い位置に、バスユニット底部支持部材５を用いてバスユニット設置用床部３２を形成する。このバスユニット２設置用の床構造は、以下のようなものとされる。
【００５７】
即ち、建物１の平行な一対の床下地材１４の内側面に対して、上記したバスユニット設置用金具３が、互いに向かい合った状態で取付けられるようにする。
【００５８】
そして、上記バスユニット底部支持部材５が、建物１の平行な一対の床下地材１４の間に架設されるバスユニット設置用床梁材３３とされる。
【００５９】
このバスユニット設置用床梁材３３の両端部が、一対の床下地材１４の内側面に互いに向かい合わせて取付けられたバスユニット設置用金具３の支持部材係止保持部２３間に、それぞれ係止保持される。
【００６０】
更に、このバスユニット設置用床梁材３３の上面側にバスユニット設置用床面材３４が敷設される。
【００６１】
（補足説明４）
ここで、上記した「バスユニット２設置用の開口部３１」は、建物１の床部における、バスユニット２を設置する部分に形成される開口部３１のことである。このバスユニット２設置用の開口部３１は、内部に設置されるバスユニット２の両側部の位置に、平行な一対の床下地材１４が露出されるように形成される。また、バスユニット２の底部と干渉する位置にある床下地材１４については、切断するようにして、開口部３１から地盤６（または、基礎７がベタ基礎である場合には、基礎７の底板部の面）が直接臨めるようにする。
【００６２】
上記した「バスユニット設置用床梁材３３」は、バスユニット２を設置するようにしたバスユニット設置用床部３２を構成する床梁材のことである。このバスユニット設置用床梁材３３の長さは、対向する一対の床下地材１４の内側面間の間隔よりも、一対のバスユニット設置用金具３の各迂回部２５の迂回量を足した程度分だけ短いものとされる。バスユニット設置用床梁材３３については、後述する。
【００６３】
上記した「バスユニット設置用床面材３４」は、バスユニット２を設置するための床面材１５のことである。バスユニット設置用床面材３４には、例えば、構造用合板などが使用される。
【００６４】
（構成５）
図７（図８）に示すように、上記バスユニット設置用床梁材３３が、中空の角型鋼材３３ａによって構成される。
【００６５】
図９に示すように、この角型鋼材３３ａの端部上面に、角型鋼材３３ａの端部下面と上記支持部材係止保持部２３との間を締結固定するための作業スペースを確保形成可能な切欠部３５が設けられる。
【００６６】
（補足説明５）
ここで、上記した「角型鋼材３３ａ」は、金属製の角型パイプなどとされる。
【００６７】
上記した「切欠部３５」は、角型鋼材３３ａの端部の強度が必要以上に低下せず、しかも、角型鋼材３３ａとバスユニット設置用金具３との間の締結作業を支障なく行える程度の大きさのものとされる。この場合、切欠部３５は、角型鋼材３３ａの幅の半分程度以下の幅（切欠幅）、および、この切欠幅と同じかそれよりも若干大きい切欠深さを有する、ほぼＵ字状のものとされている。但し、切欠部３５の大きさや形状は、これに限るものではない。
【００６８】
なお、角型鋼材３３ａの端部下面における、切欠部３５の中央部に相当する位置には、必要に応じて、ボルトやナットなどの締結具２９（図３参照）を挿通するためのボルト穴などの固定点３３ｂが形成される。このボルト穴（固定点３３ｂ）は、上記したボルト穴（固定点２３ｂ）と対応合致するものである。この場合、ボルト穴（固定点３３ｂ）は、角型鋼材３３ａの一端側にのみ予め形成されており、他端側については、現場合わせで（ボルト穴（固定点３３ｂ）を）設けるようになっている。
【００６９】
（構成６）
図８に示すように、上記バスユニット設置用床梁材３３が、複数本平行に設けられる。
【００７０】
そして、複数本のバスユニット設置用床梁材３３の間が、横桟部材３６によって一体に連結される。これによって、連結型床梁材３７が構成される。
【００７１】
（補足説明６）
ここで、上記した「横桟部材３６」には、例えば、バスユニット設置用床梁材３３と同様の角型鋼材などが使用される。この場合、連結型床梁材３７は、２本のバスユニット設置用床梁材３３の両端部近傍間を横桟部材３６で連結してほぼ矩形枠状にしたものなどとされる。バスユニット設置用床梁材３３と横桟部材３６との連結は、溶接などの接合手段によって行われる。
【００７２】
なお、バスユニット設置用床梁材３３における、バスユニット設置用床梁材３３の連結本数や、横桟部材３６の設置位置や、連結形状などについては、上記に限るものではなく、必要に応じて、適宜設定・調整することができる。例えば、上記した連結型床梁材３７に対して、バスユニット設置用床梁材３３の中央部間の位置などに、同様の横桟部材３６を追加するようにしても良い。
【００７３】
また、図４では、コンクリート製や金属製或いは樹脂製などの束部材３８で、連結型床梁材３７を構成するバスユニット設置用床梁材３３の中央部の下部を支持させるようにして、連結型床梁材３７の強度を下げられるようにしている。
【００７４】
また、上記した束部材３８は、納まり上、被支持部２６が建物１の土台８または基礎７の上面にほとんど乗らない場合、即ち、バスユニット２の荷重を、被支持部２６を介して、建物１の土台８または基礎７の上面で十分に受けさせられないような場合であっても、上記したように、連結型床梁材３７を構成するバスユニット設置用床梁材３３の中央部の下部を束部材３８によって支持することで、バスユニット設置用金具３を介して建物１の床下地材１４の側面に作用されるバスユニット２の荷重を大幅に低減することができる。
【００７５】
このような束部材３８は、上記の他にも、必要に応じて適宜設けることができる。例えば、基礎７が無い側の床下地材１４の下部を支持するように、束部材３８を配置することにより、バスユニット設置用床梁材３３が傾かないようにすることができる。
【００７６】
（構成７）
図３に示すように、上記バスユニット設置用床面材３４の下面側に断熱材３９が設置される。
【００７７】
（補足説明７）
ここで、上記した「断熱材３９」は、断熱性を有する部材のことである。この場合、床下地材１４とバスユニット設置用床梁材３３との間や、バスユニット設置用床梁材３３間などに対し、断熱材３９として、バスユニット設置用床梁材３３と同じかそれよりも若干厚いフェノールフォームなどの比較的硬い硬質断熱部材３９ａが配設されている。
【００７８】
また、バスユニット設置用床部３２の周縁部と壁部との間の立上がり部分の周辺に対し、断熱材３９として、柔軟なグラスウールなどの軟質断熱部材３９ｂが連続して取付けられている。
【００７９】
更に、バスユニット設置用床部３２や建物１ユニットなどと断熱材３９との間にできる隙間に、防水テープ（不図示）などを貼付けることにより、隙間の密閉を行う。なお、使用する断熱材３９についてはこれに限るものではない。
【００８０】
（構成８）建物１について
上記した建物１が、上記したバスユニット設置用金具３によって形成されたバスユニット２設置用の床構造を備えたものとされる。
【００８１】
（補足説明）
上記バスユニット２設置用の床構造を備えた建物１については、既に上記したように木質系の住宅（特に、木質系ユニット住宅）とするのが良い。但し、バスユニット設置用金具３を取付けるのに適した木製の床下地材１４を有しているのであれば、建物１は、木質系の住宅に限るものではない。
【００８２】
＜作用＞以下、この実施例の作用について説明する。
【００８３】
バスユニット設置用金具３を用いて、建物１の床面４よりも低い位置にバスユニット底部支持部材５を設置させるようにする。そのために、建物１の床面４に、バスユニット２の底部を収容可能な矩形状をしたバスユニット２設置用の開口部３１を形成する。
【００８４】
バスユニット２設置用の開口部３１は、より具体的には、新築の場合には、予め、バスユニット２を設置する部分の床板（床面材１５）、および、バスユニット２を設置する部分を横断する床下地材１４を設置しない状態にしておく。また、リフォームの場合には、バスユニット２を設置する部分の床板（床面材１５）、および、バスユニット２を設置する部分を横断している床下地材１４を切断除去して、上記開口部３１を形成する。
【００８５】
この場合、建物１は、上記したように、主に、木質系ユニット工法によるものとされる。そして、例えば、建物１の下階の端部に位置する木質系ユニット９における端部寄りの位置などに対し、木質系ユニット９と辺の向きを揃えた状態で、バスユニット２を設置する。
【００８６】
なお、建物１における、バスユニット２を設置する木質系ユニット９の位置や、木質系ユニット９における、バスユニット２を設置する位置については、上記に限るものではない。
【００８７】
そして、バスユニット２設置用の開口部３１の縁部に位置する床下地材１４のうち、対向する一対の床下地材１４の内側面に対して、バスユニット設置用金具３を取付ける。このバスユニット設置用金具３は、対向する一対の床下地材１４の内側面に沿って、それぞれ互いに対向するように複数対取付けるようにする。
【００８８】
床下地材１４の内側面に対するバスユニット設置用金具３（の側面取付部２１）の取付けには、釘やネジやその他の固定具が用いられる。釘やネジやその他の固定具は、ほぼ水平方向へ向けて打込まれる。
【００８９】
この際、バスユニット設置用金具３の迂回部２５が、建物１の土台８または基礎７を（開口部３１の内方へ）迂回すると共に、迂回部２５の一部に設けられた被支持部２６が、建物１の土台８または基礎７の上面によって支持されるようにする。
【００９０】
こうして、床下地材１４の内側面にバスユニット設置用金具３が取付けられたら、バスユニット底部支持部材５を、上方から、対向するバスユニット設置用金具３間に介在されるように設置する。これにより、バスユニット底部支持部材５の端部の下面が、バスユニット設置用金具３の支持部材係止保持部２３の上面に当接されると共に、下方から係止保持される。
【００９１】
そして、バスユニット底部支持部材５の端部上面に設けた切欠部３５を通して、バスユニット底部支持部材５の端部下面とバスユニット設置用金具３の支持部材係止保持部２３との間を、ボルトやナットなどの締結具２９を用いて上下方向に締結固定する。これにより、バスユニット設置用金具３とバスユニット底部支持部材５とが一体化される。
【００９２】
この際、バスユニット２における洗い場の下部については、棒状の、または、１本物のバスユニット底部支持部材５を設置するようにする。また、浴槽の下部については、複数本のバスユニット設置用床梁材３３の間を、横桟部材３６によって一体に連結した連結型床梁材３７を設置するようにする。
【００９３】
更に、必要に応じて、この連結型床梁材３７の中央部の下部などに、コンクリート製や金属製或いは樹脂製などの束部材３８を設けて、連結型床梁材３７の中央部などを下側から支持させるようにする。
【００９４】
次に、床下地材１４とバスユニット設置用床梁材３３との間や、バスユニット設置用床梁材３３間に、断熱材３９として、バスユニット設置用床梁材３３と同じかそれよりも若干厚いフェノールフォームなどの硬質断熱部材３９ａを取付ける。
【００９５】
その後、バスユニット設置用床梁材３３の上面側にバスユニット設置用床面材３４を敷設してバスユニット設置用床部３２を形成する。
【００９６】
更に、バスユニット設置用床部３２の周囲と壁部との間の立上がり部分に、断熱材３９として、柔軟なグラスウールなどの軟質断熱部材３９ｂを、バスユニット２設置用の開口部３１の周方向に連続して取付ける。その後、防水テープなどで、隙間のシールを行う。
【００９７】
こうして、建物１の床面４よりも低い位置にバスユニット設置用床部３２が構築されたら、バスユニット設置用床部３２の上部にバスユニット２を設置する、或いは、バスユニット２を組立てるようにする。
【００９８】
＜効果＞この実施例によれば、以下のような効果を得ることができる。
【００９９】
（作用効果１）
バスユニット設置用金具３に、建物１の床下地材１４の側面に対して取付可能な側面取付部２１を設けた。建物１の床下地材１４の側面には、壁などの構造物が特に存在していないため、（壁などがある）建物１の床下地材１４の上面と比べて、バスユニット設置用金具３の取付位置が自由であり、しかも、取付作業が容易であるので、建物１の新築時に限らず、建物１の構築後などであってもバスユニット設置用金具３を所望の位置に取付けることが可能となる。これにより、建物１の新築時は勿論、構築途中での設計変更やリフォームなどを行う場合であっても、バスユニット設置用金具３を用いて、確実にバスユニット２を設置することが可能となる。
【０１００】
そして、バスユニット設置用金具３を、下方延設部２２を有するものとした。これにより、建物１の床面４とバスユニット底部支持部材５との間の高低差を大きく確保することができる。以って、例えば、建物１の床面４とバスユニット２の洗い場の床面４との間の段差をなくしつつ浴槽の跨ぎ込み高さが低くなるようにしたバリアフリー用のバスユニット２などであっても余裕を持って設置することが可能となる。この際、構造が同じで、大きさや下方延設部２２の長さなどが異なるバスユニット設置用金具３を複数種類用意しておくようにすれば、メーカーや規格の異なる様々なバスユニット２を自由に設置することが可能となる。
【０１０１】
更に、バスユニット設置用金具３の下方延設部２２に、建物１の土台８または基礎７を迂回可能な迂回部２５を設けた。これにより、下方延設部２２が、建物１の土台８または基礎７と干渉してバスユニット設置用金具３が取付けられなくなるような不具合を防止することができる。よって、現場ごとに土台８または基礎７の状況が異なっていても、バスユニット設置用金具３を各種の建物に幅広く適用させる（即ち、汎用化する）ことが可能となる。また、迂回部２５の形状は補強構造にもなっているので、その分、バスユニット設置用金具３の剛性を高めることができる。
【０１０２】
（作用効果２）
バスユニット設置用金具３の迂回部２５に、建物１の土台８または基礎７の上面によって支持される被支持部２６を設けた。これにより、バスユニット設置用金具３を床下地材１４の側面に設置する際に、バスユニット設置用金具３の上下方向の位置（例えば、バスユニット設置用金具３の下端位置の位置など）を定めることができる（位置決め機能）。
【０１０３】
また、バスユニット設置用金具３に作用するバスユニット２の荷重を、被支持部２６を介して、建物１の土台８または基礎７の上面に受けさせることができる。
【０１０４】
以って、バスユニット設置用金具３の必要強度を低減することができる。また、バスユニット設置用金具３を介して建物１の床下地材１４の側面に作用されるバスユニット２の荷重を大幅に低減することができる。
【０１０５】
更に、被支持部２６が、バスユニット設置用金具３の中間に位置する下方延設部２２（の迂回部２５）に設けられることにより、バスユニット設置用金具３に作用する回転モーメントを低減することができる。これにより、回転モーメントによるバスユニット設置用金具３の倒れや変形などを防止することができる。
【０１０６】
なお、バスユニット設置用金具３に被支持部２６が設けられない場合や、納まり上、被支持部２６を建物１の土台８または基礎７の上面に（十分に）支持させることができないような場合などには、上記したように、束部材３８によって、床下地材１４やバスユニット設置用床梁材３３（連結型床梁材３７を含む）の下部を支持させるようにする。
【０１０７】
（作用効果３）
バスユニット設置用金具３の金具本体２４を、上端側縦面部２１ａと、中間横面部２５ａおよび中間縦面部２５ｂからなる屈曲形状の迂回部２５と、下端側横面部２３ａとを有する側面視Ｗ字状のものとした。これにより、バスユニット設置用金具３を、安価で構造が簡単なものとすることができる。
【０１０８】
また、側面視Ｗ字状の金具本体２４の少なくとも一側部に、金具本体２４を構成する各面部から面外方向に立上がる補強用の立設部２７を設けた。これにより、バスユニット設置用金具３の剛性を効率的に高めることができる。
【０１０９】
（作用効果４）
バスユニット底部支持部材５を、バスユニット設置用床梁材３３とし、バスユニット設置用床梁材３３の上面側にバスユニット設置用床面材３４を敷設してバスユニット設置用床部３２とした。このように、バスユニット２の底部を床部（バスユニット設置用床部３２）によって支えることにより、各種のバスユニット２を安定して設置することが可能となる。
【０１１０】
（作用効果５）
バスユニット設置用床梁材３３を中空の角型鋼材３３ａによって構成した。これにより、バスユニット設置用床梁材３３を軽量化しつつ、高い剛性を有するものとすることが可能となり、また、バスユニット設置用床梁材３３を長期間に亘って安定した支持力を発揮するものとすることができる。
【０１１１】
角型鋼材３３ａの端部上面に切欠部３５を設けた。これにより、角型鋼材３３ａの端部下面と上記支持部材係止保持部２３との間を締結固定する際の作業スペースを確保形成することができる。よって、上記した締結固定作業を容易化し、作業性を向上することができる。
【０１１２】
（作用効果６）
複数本のバスユニット設置用床梁材３３の間を、横桟部材３６によって一体に連結した。これにより、例えば、浴槽の下部などの、バスユニット２の荷重が特に大きく掛かる箇所などに設けられるバスユニット設置用床梁材３３に対して、高い剛性を持たせることが可能となる。
【０１１３】
（作用効果７）
バスユニット設置用床面材３４の下面側に断熱材３９を設置した。これにより、バスユニット設置用床部３２の全面に対して断熱性を持たせることが可能となり、バスユニット２内部の熱が床下へ逃げ難くなるようにすることができる。
【０１１４】
なお、近年のバスユニット２は、それ自体で高い断熱性を備えているものが増えているが、このような場合であっても、バスユニット２の断熱性能をより向上することが可能となり、例えば、バスユニット２が持つ、浴槽内のお湯が冷め難くなる効果をより高めたり、洗い場の床を暖かく感じさせる効果をより高めたりすることができるようになる。
【０１１５】
（作用効果８）
上記建物１は、上記バスユニット２設置用の床構造を備えるようにした。これにより、上記と同様の作用効果を得ることができる。
【０１１６】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１１７】
１      建物
３      バスユニット設置用金具
４      床面
５      バスユニット底部支持部材
７      基礎
８      土台
１４    床下地材
２１    側面取付部
２１ａ  上端側縦面部
２２    下方延設部
２３    支持部材係止保持部
２３ａ  下端側横面部
２４    金具本体
２５    迂回部
２５ａ  中間横面部
２５ｂ  中間縦面部
２６    被支持部
２７    立設部
３２    バスユニット設置用床部
３３    バスユニット設置用床梁材
３４    バスユニット設置用床面材
３３ａ  角型鋼材
３５    切欠部
３６    横桟部材
３９    断熱材
【図１】
2015055129.tif 000003
【図２】
2015055129.tif 000004
【図３】
2015055129.tif 000005
【図４】
2015055129.tif 000006
【図５】
2015055129.tif 000007
【図６】
2015055129.tif 000008
【図７】
2015055129.tif 000009
【図８】
2015055129.tif 000010
【図９】
2015055129.tif 000011